【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
第１のビューに関連付けられるビデオデータのブロックをコーディングするための区分モードを決定することと、ここで、前記区分モードは、予測コーディングのためのビデオデータの前記ブロックの分割を示し、
前記決定された区分モードに基づいて、ビュー間残差予測処理における残差予測子への適用のために重み付けファクタをコーディングするかどうかを決定することと、ここで、前記ビュー間残差予測処理は、前記第１のビューとは異なる第２のビューに関連付けられる残差予測子に対して、ビデオデータの前記ブロックについての残差データをコーディングすることを含み、前記残差データは、ビデオデータの前記ブロックのサンプルと、ビデオデータの前記ブロックの時間的動きベクトルによって識別される時間的参照ブロックの対応するサンプルとの差を示し、前記残差予測子は、ビデオデータの前記ブロックの視差ベクトルによって識別される視差参照ブロックのサンプルと、前記時間的動きベクトルおよび視差動きベクトルによって識別される時間的視差参照ブロックの対応するサンプルとの差を示し、
前記決定された区分モードとともにビデオデータの前記ブロックを復号することと、
を備える、方法。
【請求項２】
ビデオデータを符号化する方法であって、
第１のビューに関連付けられるビデオデータのブロックをコーディングするための区分モードを決定することと、ここで、前記区分モードは、予測コーディングのためのビデオデータの前記ブロックの分割を示し、
前記決定された区分モードに基づいて、ビュー間残差予測処理における残差予測子への適用のために重み付けファクタをコーディングするかどうかを決定することと、ここで、前記ビュー間残差予測処理は、前記第１のビューとは異なる第２のビューに関連付けられる残差予測子に対して、ビデオデータの前記ブロックについての残差データをコーディングすることを含み、前記残差データは、ビデオデータの前記ブロックのサンプルと、ビデオデータの前記ブロックの時間的動きベクトルによって識別される時間的参照ブロックの対応するサンプルとの差を示し、前記残差予測子は、ビデオデータの前記ブロックの視差ベクトルによって識別される視差参照ブロックのサンプルと、前記時間的動きベクトルおよび視差動きベクトルによって識別される時間的視差参照ブロックの対応するサンプルとの差を示し、
前記決定された区分モードとともにビデオデータの前記ブロックを符号化することと、
を備える、方法。
【請求項３】
前記重み付けファクタをコーディングしないという決定に基づいて、前記方法は、前記重み付けファクタの値が０であると自動的に決定し、前記ブロックの第１の残差を予測するために前記ビュー間残差予測処理を適用しないことをさらに備える、請求項１または請求項２に記載の方法。
【請求項４】
前記区分モードに基づいて前記重み付けファクタをコーディングするかどうかを決定することは、前記区分モードが前記ブロックを予測することを全体として含むかどうかを決定することを備え、前記方法は、前記区分モードが前記ブロックを予測することを全体として含まないとき、前記重み付けファクタのコーディングをスキップし、前記ブロックの第１の残差を予測するために前記ビュー間残差予測処理を適用しないことをさらに備える、請求項１または請求項２に記載の方法。
【請求項５】
前記区分モードに基づいて前記重み付けファクタをコーディングするかどうかを決定することは、前記区分モードがＰＡＲＴ＿２Ｎ×２Ｎモード、ＰＡＲＴ＿２Ｎ×Ｎモード、およびＰＡＲＴ＿Ｎ×２Ｎモードのうちの１つを含むかどうかを決定することを備え、前記方法は、前記区分モードがＰＡＲＴ＿２Ｎ×２Ｎモード、ＰＡＲＴ＿２Ｎ×Ｎモード、およびＰＡＲＴ＿Ｎ×２Ｎモードのうちの１つを含まないとき、前記重み付けファクタのコーディングをスキップし、前記ブロックの第１の残差を予測するために前記ビュー間残差予測処理を適用しないことをさらに備える、請求項１または請求項２に記載の方法。
【請求項６】
Ｈｉｇｈ  Ｅｆｆｉｃｉｅｎｃｙ  Ｖｉｄｅｏ  Ｃｏｄｉｎｇ（ＨＥＶＣ）に適用され、
前記ブロックに対するコーディングモードに基づいて前記重み付けファクタをコーディングするかどうかを決定することをさらに備え、前記コーディングモードがスキップモードおよび統合モード以外のコーディングモードであるとき、前記重み付けファクタのコーディングをスキップし、前記ブロックの第１の残差を予測するために前記ビュー間残差予測処理を適用しない、請求項１または請求項２に記載の方法。
【請求項７】
前記重み付けファクタをコーディングするという決定に基づいて、前記方法はさらに、前記ビュー間残差予測処理の１つまたは複数の重み付けファクタをディセーブルにすることを備え、前記１つまたは複数のディセーブルにされた重み付けファクタは前記ビュー間残差予測処理において使用されない、請求項１または請求項２に記載の方法。
【請求項８】
前記１つまたは複数の重み付けファクタをディセーブルにすることは、シーケンスパラメータセット（ＳＰＳ）、ビデオパラメータセット（ＶＰＳ）、ＶＰＳ拡張、ピクチャパラメータセット、およびスライスヘッダのうちの１つに含まれるデータに基づいて、前記１つまたは複数の重み付けファクタをディセーブルにすることを備える、請求項１に従属する請求項７に記載の方法。
【請求項９】
前記重み付けファクタをコーディングするという決定に基づいて、前記方法はさらに、前記ビュー間残差予測処理の１つまたは複数の重み付けファクタを修正することを備え、前記修正された１つまたは複数の重み付けファクタは前記ビュー間残差予測処理において使用される、請求項１または請求項２に記載の方法。
【請求項１０】
前記１つまたは複数の重み付けファクタを修正することは、シーケンスパラメータセット（ＳＰＳ）、ビデオパラメータセット（ＶＰＳ）、ＶＰＳ拡張、ピクチャパラメータセット、およびスライスヘッダのうちの１つに含まれるデータに基づいて、前記１つまたは複数の重み付けファクタを修正することを備える、請求項１に従属する請求項９に記載の方法。
【請求項１１】
ビデオデータを復号するための装置であって、
第１のビューに関連付けられるビデオデータのブロックをコーディングするための区分モードを決定するための手段と、ここで、前記区分モードは、予測コーディングのためのビデオデータの前記ブロックの分割を示し、
前記決定された区分モードに基づいて、ビュー間残差予測処理における残差予測子への適用のために重み付けファクタをコーディングするかどうかを決定するための手段と、ここで、前記ビュー間残差予測処理は、前記第１のビューとは異なる第２のビューに関連付けられるデータ残差予測子に対して、ビデオブロックの前記ブロックについての残差データをコーディングすることを含み、前記残差データは、ビデオデータの前記ブロックのサンプルと、ビデオデータの前記ブロックの時間的動きベクトルによって識別される時間的参照ブロックの対応するサンプルとの差を示し、前記残差予測子は、ビデオデータの前記ブロックの視差ベクトルによって識別される視差参照ブロックのサンプルと、前記時間的動きベクトルおよび視差動きベクトルによって識別される時間的視差参照ブロックの対応するサンプルとの差を示し、
前記決定された区分モードとともにビデオデータの前記ブロックを復号するための手段と、
を備える、装置。
【請求項１２】
ビデオデータを符号化するための装置であって、
第１のビューに関連付けられるビデオデータのブロックをコーディングするための区分モードを決定するための手段と、ここで、前記区分モードは、予測コーディングのためのビデオデータの前記ブロックの分割を示し、
前記決定された区分モードに基づいて、ビュー間残差予測処理における残差予測子への適用のために重み付けファクタをコーディングするかどうかを決定するための手段と、ここで、前記ビュー間残差予測処理は、前記第１のビューとは異なる第２のビューに関連付けられるデータ残差予測子に対して、ビデオブロックの前記ブロックについての残差データをコーディングすることを含み、前記残差データは、ビデオデータの前記ブロックのサンプルと、ビデオデータの前記ブロックの時間的動きベクトルによって識別される時間的参照ブロックの対応するサンプルとの差を示し、前記残差予測子は、ビデオデータの前記ブロックの視差ベクトルによって識別される視差参照ブロックのサンプルと、前記時間的動きベクトルおよび視差動きベクトルによって識別される時間的視差参照ブロックの対応するサンプルとの差を示し、
前記決定された区分モードとともにビデオデータの前記ブロックを符号化するための手段と、
を備える、装置。
【請求項１３】
前記ブロックを復号するための前記手段は、前記ビュー間残差予測処理で前記ブロックを復号するための手段を備え、前記ビュー間残差予測処理で前記ブロックを復号するための前記手段は、
前記ブロックの時間的動きベクトルによって示される時間的参照ブロックを決定するための手段と、
前記ブロックの視差ベクトルによって示される視差参照ブロックを決定するための手段と、
前記時間的動きベクトルと前記視差ベクトルの組合せによって示される時間的視差参照ブロックを決定するための手段と、
符号化されたビットストリームから、前記ブロックに対する最終的な残差を示すデータを取得するための手段と、
前記視差参照ブロックと前記時間的視差参照ブロックとの差に基づいて、残差予測子を決定するための手段と、
前記最終的な残差、前記残差予測子、および前記時間的参照ブロックの組合せに基づいて、前記ブロックを再構築するための手段と、
を備える、請求項１１に記載の装置。
【請求項１４】
前記ブロックを符号化するための前記手段は、前記ビュー間残差予測処理で前記ブロックを符号化するための手段を備え、前記ビュー間残差予測処理で前記ブロックを符号化するための前記手段は、
前記ブロックの時間的動きベクトルによって示される時間的参照ブロックを決定するための手段と、
前記ブロックの視差ベクトルによって示される視差参照ブロックを決定するための手段と、
前記時間的動きベクトルと前記視差ベクトルの組合せによって示される時間的視差参照ブロックを決定するための手段と、
第１のブロックと前記時間的参照ブロックとの差を備える第１の残差を決定するための手段と、
前記視差参照ブロックと前記時間的視差参照ブロックとの差を備える残差予測子を決定するための手段と、
前記第１の残差と前記残差予測子との差に基づいて、最終的な残差を決定するための手段と、
前記最終的な残差を示すデータをビットストリーム中に符号化するための手段と、
を備える、請求項１２に記載の装置。
【請求項１５】
命令を記憶した非一時的コンピュータ可読媒体であって、前記命令は、実行されると、１つまたは複数のプロセッサに、請求項１〜１０のいずれか一項に記載の方法を行わせる、非一時的コンピュータ可読媒体。